(57)【特許請求の範囲】
【請求項１】
複数列に配置した合材サイロの上位側方に合材サイロの合材投入口を挟み込むように一対の走行用レールを平行に対向させ、これらの走行レールの端部に増設用レールを任意に継ぎ足せるようにすると共に、これらの走行用レールの間には枠状走行体を掛け渡して走行用レールに沿って走行自在とし、該枠状走行体にはアスファルト合材を積載して前記各合材サイロにアスファルト合材を分配投入する合材ホッパを枠状走行体に沿って走行可能に搭載したことを特徴とする合材サイロの分配投入装置。
【発明の詳細な説明】
【０００１】
【産業上の利用分野】
本発明はアスファルトプラントにおいて製造されるアスファルト合材を複数の合材サイロに分配投入する装置に関する。
【０００２】
【従来の技術】
アスファルトプラントのミキサにより製造されたアスファルト合材は、その品種に応じて複数の合材サイロに一旦分配貯蔵されて出荷されるケースが多くなってきており、この場合、実公平６ー４３２０２号公報に記載されている如く、複数の合材サイロの上位に旋回用リングを配設し、その直径位置にトロリーレールを旋回可能に配設すると共に、該トロリーレールに合材投入用のトロリーホッパを走行可能に搭載したものが提案されている。
【０００３】
【発明が解決しようとする課題】
しかしながら、上記従来の分配投入装置にあっては、合材サイロを増設しようとする際には旋回用リングの大きさによって制約を受け、予め増設を見越して旋回用リングの大きさ等を設計しておく必要があり、また円形状の旋回用リングの製作がなかなか難しいものとなる。
【０００４】
本発明は上記の点に鑑み、合材サイロの増設も容易で、かつ製作も簡単にできる合材サイロの分配投入装置を提供することを目的とする。
【０００５】
【課題を解決するための手段】
本発明は上記の目的を達成するために、複数列に配置した合材サイロの上位側方に合材サイロの合材投入口を挟み込むように一対の走行用レールを平行に対向させ、これらの走行レールの端部に増設用レールを任意に継ぎ足せるようにすると共に、これらの走行用レールの間には枠状走行体を掛け渡して走行用レールに沿って走行自在とし、該枠状走行体にはアスファルト合材を積載して前記各合材サイロにアスファルト合材を分配投入する合材ホッパを枠状走行体に沿って走行可能に搭載したことを特徴としている。
【０００６】
【作用】
本発明の合材サイロの分配投入装置によれば、所定位置にて合材ホッパを積み込み、この合材ホッパを搭載した枠状走行体を複数列配置した合材サイロの所望サイロ位置に向けてＹ方向に走行させると共に、枠状走行体に搭載した合材ホッパも枠状走行体に沿ってＸ方向に走行させて所望の合材サイロの投入口の上位に位置させ、アスファルト合材を払い出してサイロ投入口に投入する。この分配投入装置によれば合材サイロの増設時には、合材サイロの側方に配設した走行用レールの端部に増設しようとする合材サイロ分の増設用レールを継ぎ足すことにより簡単に合材サイロを増設することができる。
【０００７】
【実施例】
以下、本発明の実施例を図面に基づいて説明する。
【０００８】
１は本発明の合材サイロの分配投入装置であって、複数基の合材サイロ２ａ、２ｂ、２ｃ、２ｄを複数列に（本実施例では４基の合材サイロを２列に）配置し、先ず、これらの合材サイロ２ａ、２ｂ、２ｃ、２ｄの上位の側方に一対の走行用レール３、３´を平行に対向させて配設している。そして該走行用レール３、３´は、合材サイロ２ａ、２ｂ、２ｃ、２ｄ上部に配設した合材を投入する合材投入口４ａ、４ｂ、４ｃ、４ｄが走行用レール３、３´の内側に来るようにし、それらを挟み込むような位置に、合材サイロ２ａ、２ｂ、２ｃ、２ｄ上に立設した支柱５により支持すると共に、走行用レール３、３´を横架材６により連結して補強している。
【０００９】
７は［型鋼の窪み部分を内側にして枠状に形成した枠状走行体であって、該枠状走行体７は前記走行用レール３、３´間に掛け渡すと共に、走行用レール３、３´上に、一対の走行用サドル８、８´を介して取り付けている。走行用サドル８、８´には図５に示すような走行用車輪９が前後にそれぞれ取り付けてあり、駆動用モータ１０により走行用車輪９を回転させて枠状走行体６を走行用レール３、３´に沿って走行自在としている。
【００１０】
また、枠状走行体７には、アスファルト合材を積載して運搬する合材ホッパ１１を搭載しており、該合材ホッパ１１は枠状走行体７の４隅に配置した車輪１２を枠状走行体７の［型鋼の窪み部分に嵌め入れるようにし、駆動用モータ１３により車輪１２を回転させて枠状走行体７の長手方向に沿って走行可能としている。
【００１１】
この合材ホッパ１１の下部には排出ゲート１４を開閉自在に配設しており、合材ホッパ１１の上位に位置するミキサ１５より払い出したアスファルト合材を積載して排出ゲート１４から所望の合材サイロに排出するようにしている。
【００１２】
図６、図７は合材サイロ２ｅ、２ｆを増設した場合の説明図であり、合材サイロ２ｃ、２ｄの隣りに増設用の合材サイロ２ｅ、２ｆを設置し、合材サイロ２ｅ、２ｆの上部には走行用レール３、３´の延長方向に増設用支柱１６を立設している。
【００１３】
そして増設用支柱１６と走行用レール３、３´端部との間には増設用レール１７、１７´を配設し、該増設用レール１７、１７´をそれぞれ走行用レール３、３´の端部に連結すると共に、増設用支柱１６により支持し、更に増設側の横架材６を増設用レール１７、１７´の端部に移設する。
【００１４】
しかして、本発明の分配投入装置により合材を分配投入する場合、図３に示すように枠状走行体７を走行用レール３、３´の中央部に移動させると共に、枠状走行体７の合材ホッパ１１も枠状走行体６の中央部に移動させ、合材ホッパ１１がミキサ１５の下位に来るようにする。
【００１５】
ミキサ１５により混練されたアスファルト合材が合材ホッパ１１に払い出されると、合材ホッパ１１を所望の合材サイロ上に移送する。この時、例えば合材サイロ２ａに移送する場合には、枠状走行体７を合材サイロ２ａ側に走行させると共に、合材ホッパ１１も合材サイロ２ａ寄りに移動させ、最終的に合材ホッパ１１の排出ゲート１４を合材サイロ２ａの合材投入口４ａに臨む位置に移動させる。この時、枠状走行体７と合材ホッパ１１を相互に移動させることにより、中央部に位置していた合材ホッパ１１は前記中央位置と合材サイロ２ａを結ぶ直線上、即ち最短距離を移動することになり、迅速な移送を実現することができるのである。
【００１６】
また、合材サイロの増設時には、前記のように、増設しようとする合材サイロを既設の合材サイロに隣設し、増設用レールを継ぎ足すことにより簡単に増設を可能とし、増設用レールの両端側にいずれにも任意に増設することができる。
【００１７】
更に、ミキサ１５より合材を直接出荷するような場合には、ミキサ１５の下位のスペースに合材排出ホッパ（図示せず）を配設しておき、この時には、合材ホッパ１１を一時側方に移動させて合材をミキサ１５より直接下方に抜き出すようにすることができる。
【００１８】
【発明の効果】
以上のように本発明に係る合材サイロの分配投入装置にあっては、複数列に配置した合材サイロ２ａ、２ｂ、２ｃ、２ｄの上位側方に一対の走行用レール３、３´を平行に対向させ、これらの走行レール３、３´の端部に増設用レール１７、１７´を任意に継ぎ足せるようにすると共に、これらの走行用レール３、３´の間に枠状走行体７を走行自在に掛け渡し、枠状走行体７に合材ホッパ１１を走行可能に搭載したので、ミキサ１５により混練した合材を迅速に所望の合材サイロに投入することができる。また、合材サイロを増設する際には増設用レール１７、１７´を走行用レール３、３´に継ぎ足すだけで容易に増設を行うことができ、更には装置の製作も簡単にできる。
【図面の簡単な説明】
【図１】本発明の分配投入装置の一実施例を示す正面図である。
【図２】図１の側面図である。
【図３】図１の平面図である。
【図４】図２のＡ−Ａ矢視図である。
【図５】図２の要部の拡大図である。
【図６】合材サイロ増設時の図２に相当する側面図である。
【図７】図６の平面図である。
【符号の説明】
１…分配投入装置
２ａ、２ｂ、２ｃ、２ｄ、２ｅ、２ｆ…合材サイロ
３、３´…走行用レール
４ａ、４ｂ、４ｃ、４ｄ、２ｅ、２ｆ…合材投入口
７…枠状走行体
１１…合材ホッパ
【図１】
0003663227.tif 000002
【図２】
0003663227.tif 000003
【図３】
0003663227.tif 000004
【図４】
0003663227.tif 000005
【図５】
0003663227.tif 000006
【図６】
0003663227.tif 000007
【図７】
0003663227.tif 000008